(57)【特許請求の範囲】
【請求項１】
作業用車両に装着可能な除雪装置であって、除雪手段を作業用車両の側方に張り出し可能に支持する支持手段と、該支持手段に支持されて車両側方に位置する雪を車両進行方向と略直交する方向に除雪する除雪手段とを有し、
前記支持手段は、前記作業用車両にガイド部材を介してスライド可能に支持され、作業用車両に格納される格納位置と作業用車両の側方に端部を突出させる突出位置とに移動可能な基台プレートと、該基台プレートに固定され前記除雪手段の本体を車両進行方向と略平行に延設された軸を回転中心として回転可能に支持するホルダ部材を有し、
前記ホルダ部材による前記除雪手段本体の前記回転中心が、前記基台プレートの前記格納位置において前記作業用車両の幅方向の中心から幅方向端部に寄った位置に設定されていることを特徴とする除雪装置。
【請求項２】
前記除雪手段の位置を車両進行方向に調節する調節手段を有することを特徴とする、請求項１に記載の除雪装置。
【請求項３】
前記除雪手段がコンベア状に構成されることを特徴とする、請求項１に記載の除雪装置。
【請求項４】
前記コンベア状除雪手段がベルトコンベア又はチェーンコンベアであり、該コンベアの外周全長に渡って適宜間隔を有して回動方向と略直交する方向に突起を延設したことを特徴とする、請求項３に記載の除雪装置。
【請求項５】
前記コンベア状除雪手段がベルトコンベア又はチェーンコンベアであり、該コンベアの幅が、該コンベアを掛け渡すプーリの幅より広く構成されていることを特徴とする、請求項３に記載の除雪装置。
【発明の詳細な説明】
【０００１】
【発明の属する技術分野】
本発明は、ロータリ除雪車，除雪トラック等の道路維持作業用車両に装着して特殊な場所の除雪を行う、除雪装置に関するものである。
【０００２】
【従来の技術】
高速道路，自動車専用路等においては、事故・故障等の緊急時に外部へ連絡するための非常電話が路側帯等に設置されている。降雪地帯の高速道路，自動車専用路では、降雪時に非常電話が雪に埋もれないように高い位置に設定されている。例えば図１０，１１に一例を示すように、路面から突設された台盤５１の上に非常電話ボックス５２が設置されており、台盤５１に付設されたステップ台５３の上に登って電話を使用するようになっている。
【０００３】
このように高い位置に非常電話を設置した場合、ステップ台が不可欠なものとなる。特に、非降雪時にはステップ台に上がらなければ非常電話を使用することができない。ところが、降雪時にはそのステップ台の上に雪が積もってしまい、これを除雪する必要性が生ずる。なお、道路面（車両通行帯）を除雪した場合でも、路側帯に設置されている非常電話付近には雪が堆積しており、ステップ台上の除雪は必要である。
【０００４】
【発明が解決しようとする課題】
しかしながら、従来、ステップ台上の除雪作業は人力に頼っており、作業員が路上で作業する機会が増え、安全確保が難しいという問題があった。また、通常、ステップ台の周囲には転落防止用の保護枠（図１０，１１の符号５４）等が設けられており、従来の除雪車等による機械的な除雪ができず、人力によるため作業時間がかかり、道路除雪作業全体の効率を低下させるという問題もあった。
【０００５】
本発明は、従来技術における上記問題を解決し、非常電話設置部ステップ台上などの特殊な場所の除雪作業を行うことのできる除雪装置を提供することを課題とする。
【０００６】
【課題を解決するための手段】
前記の課題は本発明により、作業用車両に装着可能な除雪装置であって、除雪手段を作業用車両の側方に張り出し可能に支持する支持手段と、該支持手段に支持されて車両側方に位置する雪を車両進行方向と略直交する方向に除雪する除雪手段とを有し、前記支持手段は、前記作業用車両にガイド部材を介してスライド可能に支持され、作業用車両に格納される格納位置と作業用車両の側方に端部を突出させる突出位置とに移動可能な基台プレートと、該基台プレートに固定され前記除雪手段の本体を車両進行方向と略平行に延設された軸を回転中心として回転可能に支持するホルダ部材を有し、前記ホルダ部材による前記除雪手段本体の前記回転中心が、前記基台プレートの前記格納位置において前記作業用車両の幅方向の中心から幅方向端部に寄った位置に設定されていることにより解決される。
【０００７】
また、前記の課題を解決するため、本発明は、前記除雪手段の位置を車両進行方向に調節する調節手段を有することを提案する。
【０００８】
また、前記の課題を解決するため、本発明は、前記除雪手段がコンベア状に構成されることを提案する。
また、前記の課題を解決するため、本発明は、前記コンベア状除雪手段がベルトコンベア又はチェーンコンベアであり、該コンベアの外周全長に渡って適宜間隔を有して回動方向と略直交する方向に突起を延設することを提案する。
【０００９】
また、前記の課題を解決するため、本発明は、前記コンベア状除雪手段がベルトコンベア又はチェーンコンベアであり、該コンベアの幅が、該コンベアを掛け渡すプーリの幅より広く構成されていることを提案する。
【００１０】
【発明の実施の形態】
以下、本発明の実施の形態を図面に基づいて説明する。
図１は、本発明の一実施形態の除雪装置がロータリ除雪車に装着された様子を示す正面図である。また、図２は、その側面図である。
【００１１】
これらの図に示すように、本願発明による除雪装置（以下、特殊除雪装置という）１は、ロータリ除雪車６０の除雪装置６１の最前部上方位置に装着されている。特殊除雪装置１は、後述するガイドレールを介して除雪装置６１のフレームに支持され、特殊除雪装置１と除雪装置６１間に配されたスライド用シリンダ３により、特殊除雪装置の本体２が除雪車６０の側方に突出できるようになっている。また、本体２は装置回転中心Cを支点として回転可能となっており、回転用シリンダ４により回動することができる。さらに、図示しない前後調節用シリンダにより、特殊除雪装置の本体２を除雪車進行方向の前後に移動（位置調節）できるように構成されている。
【００１２】
図３は特殊除雪装置１の平面図であり、図の下方が除雪車６０の進行方向となる。また、図４は特殊除雪装置１の正面図であり、図５は特殊除雪装置１を除雪車右側より見た側面図である。図５では、図の右方が除雪車進行方向となる。
【００１３】
これらの図に示すように、特殊除雪装置の本体（除雪手段）２は、フレーム５、フレーム５に支持された１対のプーリ６，７、そのプーリに掛け渡された除雪ベルト８、プーリ７を介して除雪ベルト８を回転駆動させる油圧モータ９、カバー１０等により構成される。そして、フレーム５の後側面から突出してアーム１１が設けられている。円筒形アーム１１の先端部は、逆U字型プレート１２の上に固着されたアームホルダ１３に嵌入されており、プレート１２に対して本体２が摺動回転可能になっている。プレート１２と本体２の間には装置回転用シリンダ４（図１参照）が配設されている。又、プレート１２の両側側面部には複数個の車輪１４が適宜間隔で取り付けられ、車輪１４がガイドレール１５の内部に嵌装されている。ガイドレール１５は、ロータリ除雪車の除雪装置６１（図２参照）のフレームに固定される。そして、特殊除雪装置の本体２を回転可能に支持するプレート１２が、ガイドレール１５にガイドされてスライドすることにより、本体２は除雪車６０（除雪装置６１）の側面に突出可能となっている。
【００１４】
除雪ベルト８の外周面全体には、適宜間隔を置いて多数の突起８bがベルト移動方向と直交する方向（ベルト幅方向）に延設されている。そして、除雪車６０から供給される油圧により油圧モータ９を駆動することにより、プーリ７を介してベルト８を回転駆動する。除雪ベルト８の回動方向は、図４に矢印で示す如く、前方から見て時計回りとなっている。なお、ベルト８の外周面に設けた突起８bは、直線状に限らず、「く」の字状など、任意の形状に設けることができる。
【００１５】
ところで、本実施形態では、本体２のスライドと回転とを組み合わせることにより、本体２を除雪車の側方に大きく突出させることができるようになっている。すなわち、図１に実線で示す格納位置において回転中心Cを支点として本体２を１８０度回転させた場合、その端部は第１位置まで突出する。そして、その第１位置から本体２をスライドさせることにより、その端部は第２位置まで突出することになる。このように、本実施形態では、特殊除雪装置の本体２を大きく突出可能として、道路脇の特殊な位置（例えば非常電話ボックスのステップ台の上など）を効果的に除雪できるようになっている。なお、本体２は、シリンダ３，４を適宜制御することにより、そのスライド範囲及び回動範囲の間で任意の位置に保持することができる。
【００１６】
さて、本実施形態の特殊除雪装置１を用いた、高速道路等に設置される非常電話ボックスのステップ台の除雪作業の様子を図６，７により説明する。
高速道路等における車両通行帯部分に積もった雪は通常のロータリ除雪車等により除雪作業が可能である。しかし、通常の除雪作業を行った場合でも、図６に示すように、路側帯の部分には雪が堆積したままとなる。このような状態では、道路脇に設置されている非常電話５２を使用することはできない。。
【００１７】
そこで図７に示すように、除雪車６０を雪が堆積した非常電話ボックス５２の近傍に位置させ、特殊除雪装置１がステップ台５３の位置に来るようにする。そして、本発明による特殊除雪装置１を用いて、本体２をアーム１１（回転中心C）の回りに回動させ、本体２の角度を堆積した雪の斜面の角度とほぼ同じくらいにする。さらに、必要に応じてスライドシリンダ３を制御し、本体２の除雪車側方からの張り出し具合を調節して、本体２を雪の斜面に当接させる。そして、油圧モータ９を駆動して除雪ベルト８を回動させ、堆積した雪の斜面を除雪ベルト８により切り崩すと共に、その切り崩した雪を除雪車６０の前方に掻き落とす。前述したように、除雪ベルト８の外周面全体には、突起８bが（本実施形態ではベルト回動方向と直行する方向に直線状に）延設されているので、効率的に雪を切り崩し及び搬送（掻き出す）ことができるようになっている。
【００１８】
堆積した雪の斜面を切り崩していくにしたがって、装置回転用シリンダ（作業用シリンダ）４を制御し、本体２を次第に平らに倒していくことによって、除雪作業を進めていく。また、必要に応じてスライドシリンダ３を制御し、本体２の除雪車側方からの張り出し具合を調節することはいうまでもない。さらに、必要に応じて前後調節機構により本体２を前後させ、又は、除雪車６０を移動させることにより、除雪すべき場所全体に作業を進めて行く。このようにして非常電話ボックスのステップ台５３の上を除雪する。なお、作業の態様は雪の堆積具合あるいは除雪すべき場所の形状などによって適宜変更することができる。
【００１９】
そして、特殊除雪装置１により掻き落とした雪は、除雪車６０の前方に送出されるので、これをロータリ除雪装置により道端へ飛ばす、ダンプトラックに積み込む等の処理をすることができる。あるいは、グレーダ等による処理も可能であるなど、路肩部分の除雪作業による同時処理が可能である。
【００２０】
このように、本発明による除雪装置（特殊除雪装置１）によれば、従来人手に頼らざるを得なかった非常電話ボックスステップ台の上を機械的に除雪することが出来、作業員が路上に降りる必要が無いので、危険を回避することができる。また、動力を用いて除雪作業を行えるので、除雪作業の効率化を図ることができる。さらに、ロータリ除雪装置等に特殊除雪装置１を付設することにより、特殊除雪装置１が除雪した雪をロータリ除雪装置等で処理することが可能となり、除雪作業の更なる効率化を可能とする。
【００２１】
なお、特殊除雪装置１により除雪可能な場所は非常電話ボックスのステップ台に限らず、通常の除雪車による作業のできないような特殊な場所をも除雪することができる。
【００２２】
また、本実施形態では、本体２をスライド移動させるためのアクチュエータ及び本体２を回動させるアクチュエータを共に油圧シリンダ３，４としたが、これを油圧モータ、電気モータ、空気圧シリンダ、あるいは他の機械的動力など任意のアクチュエータを用いることができる。また、異なる種類のアクチュエータを併用することも可能である。前後調節用アクチュエータについても同様である。また、除雪ベルト８の幅や突起８bの高さ及び硬さ等も適宜設定することが可能である。
【００２３】
次に、除雪手段としてチェーンコンベアを採用した実施形態について説明する。その実施形態の除雪装置は、除雪手段（特殊除雪装置本体）がチェーンコンベアとして構成されていること以外は前記実施形態と同様であるので、特殊除雪装置本体についてのみ説明する。
【００２４】
図８は、本実施形態の特殊除雪装置本体の構成を示す平面透視図である。又、図９はその側面図である。これらの図に示すように、特殊除雪装置本体２０は、フレーム２１、そのフレーム２１に支持された１対のスプロケット２２，２３、そのスプロケットに掛け渡された１対のチェーン２４，２４、そのチェーンの各々のコマに取り付けられた横板２５、駆動用油圧モータ２７等により構成される。フレーム２１からは円筒形アーム１１が突出して設けられ、前記実施形態と同様にアームホルダを介して支持される（図３〜５参照）。
【００２５】
モータ２７はフレーム２１に固定され、その回転軸に固着されたスプロケット２８と、スプロケット２２を支持する軸に固着された駆動用スプロケット２９にチェーン３０が張設されている。また、各横板２５上には、チェーンコンベアの回動方向と直交する方向に「く」の字状に突出して突起２６が延設されている。横板２５の幅Ｌｃは、スプロケット２２，２３の幅Ｌｓよりも広く構成されている。
【００２６】
さて、本実施形態の特殊除雪装置２０による除雪作業の様子は前記実施形態と同様であるが、モータ２７を駆動することにより、チェーンコンベアを構成する１対のチェーン２４，２４及び各横板２５が回動される。そして、横板２５上に突設された突起２６が効率的に雪を除雪・搬送する。除雪装置２０の位置決めや除雪作業の進め方などは前記実施形態と同様である。
【００２７】
ところで、上述したように、横板２５の幅Ｌｃは、スプロケット２２，２３の幅Ｌｓよりも広く構成されている。従って、非常電話設置部ステップ台のように狭い場所の除雪作業を行う際にも、そこに付設された手すり等をスプロケットやその軸により傷つけることが無い。
【００２８】
【発明の効果】
以上説明したように、本発明の除雪装置によれば、従来人手に頼らざるを得なかった特殊な場所を機械的に除雪することが出来、作業員が路上に降りる必要が無いので危険を回避することができる。また、動力を用いて除雪作業を行えるので除雪作業の効率化を図ることができる。
【００２９】
請求項２の構成により、除雪手段の位置を前後（車両進行方向の前後）に調節することができるので、狭い場所などでの除雪作業を容易にすることができる。
【００３０】
請求項３の構成により、雪を搬送するようにして除雪することができるので、後処理をしやすい場所に除雪した雪を移動させることが可能となる。また、従来の除雪装置と組み合わせることにより、除雪作業のさらなる効率化が可能である。
【００３１】
請求項４の構成により、雪の切り崩し・掻き出し効率を高め、除雪効率を上げることができる。
請求項５の構成により、除雪作業時に、コンベア状除雪手段が掛け渡されるプーリやスプロケット、あるいはそれらの軸により、近辺の付設物等が傷つけられることがない。
【図面の簡単な説明】
【図１】本発明の一実施形態の特殊除雪装置がロータリ除雪車に装着された様子を示す正面図である。
【図２】その側面図である。
【図３】図１，２に示した本実施形態の特殊除雪装置の平面図である。
【図４】その特殊除雪装置の正面図である。
【図５】その特殊除雪装置を除雪車右側より見た側面図である。
【図６】路側帯の非常電話付近に堆積した雪の様子を示す説明図である。
【図７】本実施形態の特殊除雪装置による作業の様子を示す説明図である。
【図８】本発明の他の実施形態の特殊除雪装置本体の平面構成図である。
【図９】その正面図である。
【図１０】非常電話ボックスの一例とその付近を示す側面図である。
【図１１】その非常電話ボックスの正面図である。
【符号の説明】
１          特殊除雪装置
２、２０    本体
３          スライド用シリンダ
４          回転用（作業用）シリンダ
５、２１    フレーム
６、７      プーリ
８          除雪ベルト
９、２７    油圧モータ
１１        アーム
１２        逆U字型プレート
１３        アームホルダー
１４        車輪
１５        スライドガイドレール
２２、２３  スプロケット
２４        チェーン
２５        横板
２６        突起
５１        台盤
５２        非常電話ボックス
５３        ステップ台
６０        ロータリ除雪車（作業用車両）
６１        ロータリ除雪装置
【図１】
0003817331.tif 000002
【図２】
0003817331.tif 000003
【図３】
0003817331.tif 000004
【図４】
0003817331.tif 000005
【図５】
0003817331.tif 000006
【図６】
0003817331.tif 000007
【図７】
0003817331.tif 000008
【図８】
0003817331.tif 000009
【図９】
0003817331.tif 000010
【図１０】
0003817331.tif 000011
【図１１】
0003817331.tif 000012